(57)【特許請求の範囲】
【請求項１】
電気所毎に子局側監視遠方制御装置が設けられ、この子局側遠方監視制御装置毎に設けられた親局側遠方監視制御装置と、この親局側遠方監視制御装置にネットワークを介して接続され、制御室を有する親局と、前記ネットワークと前記親局側遠方監視制御装置間に接続され、前記親局側遠方監視制御装置を介して前記電気所に対し模擬試験動作を実行させるインテリジェントテレコンシュミレータを有し、
このインテリジェントテレコンシュミレータは、ＬＡＮインターフェースと、
インターネットインフォメーション部と、
操作設定テーブル・計測値設定テーブルを備えた操作指示フィル並びに表示テーブル・計測値テーブル・データ更新テーブルを備えた結果表示ファイルを有するデータベースと、
前記ＬＡＮインターフェース並びにインターネットインフォメーション部と前記データベース間におけるデータ変換を行うデータ変換部と、
前記データベースの操作指示ファイル並びに結果表示ファイルに接続されたシュミレータアプリケーション部と、
前記親局側遠方監視制御装置と前記シュミレータアプリケーション部間のデータ伝送を行うＨＤＬＣインターフェースとから構成されており、
前記制御室には、前記ネットワークに接続され、前記ＬＡＮインターフェース並びにインターネットブラウザを備えたモニタ用パソコンが配置され、
前記インターネットインフォメーション部は、定期的に前記データベースの結果表示ファイルの内容をリアルタイムで前記制御室のモニタ用パソコンに送出し、
前記制御室のモニタ用パソコンは、前記インターネットインフォメーション部にアクセスして前記データベースの操作指示ファイルの操作設定テーブル・計測値設定テーブルを表示させると共に、これらのテーブルにデータを入力し、これら入力されたデータを前記データベースへ書き込む如く構成され、
前記インテリジェントテレコンシュミレータに対して前記親局のモニタ用パソコンから試験指示を行うとともに、前記インテリジェントテレコンシュミレータから前記親局のモニタ用パソコンへ試験結果を送信することを特徴とする電力系統監視制御システム。
【請求項２】
前記インテリジェントテレコンシュミレータは、携帯型であることを特徴とする請求項１記載の電力系統監視制御システム。
【請求項３】
前記親局側遠方監視制御装置は、前記子局側遠方監視制御装置に対して複数台接続されていることを特徴とする請求項１又は２記載の電力系統監視制御システム。
【発明の詳細な説明】
【０００１】
【発明の属する技術分野】
本発明は、ＩＴＳ（インテリジェントテレコンシュミレータ）の模擬試験状況を遠方のどこでも確認又は条件設定を遠隔地点から変更できる電力系統監視システムに関する。
【０００３】
図７は従来の複数の電気所からなる電力系統を監視制御するための電力系統監視制御システムの概略構成図である。
【０００４】
図７に示す従来の電力系統監視制御システムは、電気所（変電所、発電所）毎に、子局側遠方監視制御装置ＴＣＲを設け、この子局側遠方監視制御装置ＴＣＲ毎に、親局側遠方監視制御装置ＴＣＭＡ、Ｂを設ける。そして、各親局側遠方監視制御装置ＴＣＭと機械室のサーバＡ１、Ｂ１と制御室の制御卓２（コンソール）とワークステーションＷＳ１、ＷＳ２、…とをＬＡＮで結んでいる。
【０００５】
前述の親局側遠方監視制御装置ＴＣＭは、１カ所の電気所を２系統で監視、制御しており、１台の子局側遠方監視制御装置ＴＣＲに対して２台の親局側遠方監視制御装置ＴＣＭ（Ａ、Ｂ）が接続されている。
【０００６】
この親局側遠方監視制御装置ＴＣＭには、子局側遠方監視制御装置ＴＣＲから開閉器の入り切り、発電量、事故等の情報等が送出され、これらの情報をＬＡＮを介してサーバＡ１、Ｂ１と制御室の制御卓２（コンソール）とワークステーションＷＳ１、ＷＳ２、…に伝送する。
【０００７】
また、親局側遠方監視制御装置ＴＣＭは、制御室の制御卓２（コンソール）からの制御データ又は各ＴＣＲからのデータを所定の形式にして制御室側に送出する。
【０００８】
この親局側遠方監視制御装置ＴＣＭには、携帯可能なインテリジェントテレコンシュミレータ装置５（以下ＩＴＳ５という）が必要に応じてオペレータＧ１によって接続される。
【０００９】
ＩＴＳ５は試験員の設定データに従って電気所に代わって親局側遠方監視制御装置ＴＣＭとデータのやりとりを行いながら模擬試験動作（シュミレート）を行う。
【００１０】
このＩＴＳ５の接続に当たっては、予めサーバＡ、ＢのオペレータＧ２が親局側遠方監視制御装置ＴＣＭをシュミレートさせるための設定データ（条件、変更データ等）をデータベース６、７に記憶（設定変更）しておく。
【００１１】
また、制御室においても予めオペレータＧ３が制御室のデータベースに設定変更する。さらに、システムマネージャＧ４にもＩＴＳ５の設定データが予め知らせられる。
【００１２】
そして、ＩＴＳ５が親局側遠方監視制御装置ＴＣＭに接続されて、シュミレートが行われる。ＩＴＳ５のオペレータＧ１は、シュミレートが終了すると、オペレータＧ１は各オペレータＧ２、Ｇ３及びシステムマネージャＧ４に電話連絡を行って、シュミレートが終わったことを知らせる。
【００１３】
そして、実際に制御室から設定データに伴う制御データを親局側遠方監視制御装置ＴＣＭに伝送して実際に電気所を制御室の制御卓が制御、監視していた。
【００１４】
【発明が解決しようとする課題】
しかしながら、上記のような電力系統監視制御システムは、ＩＴＳ側のオペレータＧ１がＩＴＳでシュミレートするための設定データを設定して、親局側遠方監視制御装置ＴＣＭにシュミレートさせた後に、遠隔地点にいる各オペレータにシュミレート結果を知らせなければならないので、ＩＴＳ側のオペレータにとってもは手間がかかるという課題があった。
【００１５】
また、遠隔地点にいるオペレータＧ２、Ｇ３及びシステムマネージャＧ４は、ＩＴＳ側のオペレータＧ１からの連絡を待っていることしかできないので、現在どのような作業が行われているかがリアルタイムで分からないという課題があった。
【００１６】
すなわち、遠隔地点にいるオペレータＧ２、Ｇ３及びシステムマネージャＧ４にとっては、次の作業の段取りができないという課題があった。
【００１７】
本発明は以上の課題を解決するためになされたもので、電力系統監視制御システムのＩＴＳの模擬試験状況を遠方のどこでも容易な構成でリアルタイムでモニタできるシステムを得る。
【００１８】
【課題を解決するための手段】
本発明の電力系統監視制御システムは、  電気所毎に子局側監視遠方制御装置が設けられ、この子局側遠方監視制御装置毎に設けられた親局側遠方監視制御装置と、この親局側遠方監視制御装置にネットワークを介して接続され、制御室を有する親局と、前記ネットワークと前記親局側遠方監視制御装置間に接続され、前記親局側遠方監視制御装置を介して前記電気所に対し模擬試験動作を実行させるインテリジェントテレコンシュミレータを有し、
このインテリジェントテレコンシュミレータは、ＬＡＮインターフェースと、
インターネットインフォメーション部と、
操作設定テーブル・計測値設定テーブルを備えた操作指示フィル並びに表示テーブル・計測値テーブル・データ更新テーブルを備えた結果表示ファイルを有するデータベースと、
前記ＬＡＮインターフェース並びにインターネットインフォメーション部と前記データベース間におけるデータ変換を行うデータ変換部と、
前記データベースの操作指示ファイル並びに結果表示ファイルに接続されたシュミレータアプリケーション部と、
前記親局側遠方監視制御装置と前記シュミレータアプリケーション部間のデータ伝送を行うＨＤＬＣインターフェースとから構成されており、
前記制御室には、前記ネットワークに接続され、前記ＬＡＮインターフェース並びにインターネットブラウザを備えたモニタ用パソコンが配置され、
前記インターネットインフォメーション部は、定期的に前記データベースの結果表示ファイルの内容をリアルタイムで前記制御室のモニタ用パソコンに送出し、
前記制御室のモニタ用パソコンは、前記インターネットインフォメーション部にアクセスして前記データベースの操作指示ファイルの操作設定テーブル・計測値設定テーブルを表示させると共に、これらのテーブルにデータを入力し、これら入力されたデータを前記データベースへ書き込む如く構成され、
前記インテリジェントテレコンシュミレータに対して前記親局のモニタ用パソコンから試験指示を行うとともに、前記インテリジェントテレコンシュミレータから前記親局のモニタ用パソコンへ試験結果を送信することを要旨とする。
【００２０】
【発明の実施の形態】
図１は本実施の形態の電力系統監視制御システムの概略構成図である。本実施の形態は、既設のＬＡＮを利用して新たにＬＡＮにモニタ用のＰＣ（パソコン）を接続し、このパソコンの画面からＩＴＳからＴＣＭへの条件設定、設定の状況をリアルタイムにモニタできるようにすることで互いに電話連絡行わなくともよいようにしたものである。
【００２１】
また、モニタ側からＩＴＳに対する条件設定ができるようにすることで、ＩＴＳに試験員が張り付いていなくともよいようにしたものである。
【００２２】
図１に示すＩＴＳ１０は、ネットワークＯＳ（ｗｉｎｎｄｏｗＮＴ）、インターネットインフォメーションサービス（ＩＩＳ）、データ変換機能を有するデータベースシステム（ＳＱＬサーバ、ＡＣＣＥＳＳ等）をインストールしている。
【００２３】
また、本実施の形態においては、インタネットブラウザによってＩＴＳ１０からの前述の模擬の条件設定の内容を受信してモニタできるリモートモニタＰＣ１１ａ、１１ｂが制御室、事務室に配置され、これがＬＡＮに接続される。
【００２４】
次に、リモートモニタ用ＰＣとＩＴＳ１０の構成を図２にを用いて以下に説明する。本説明ではモニタ用ＰＣ１１ｂとＩＴＳ１０とＴＣＭのみを例示する。
【００２５】
図２に示すようにＩＴＳ１０は、構内網とコンピュータのバスとの間隙を埋めるためのプロトコルを有するＬＡＮインタフェース１３と、ＬＡＮを介して受信したデータ又はインタネットインフォメーションによるデータを所定の形式に変換してデータベースに記憶するデータ変換部１４とを備えている。このデータ変換部１４とデータベースとインタネットインフォメーションとを総称してデータベースシステムと称する。すなわち、このデータベースシステムは、情報（ＨＴＭＬ形式）をハイパーテキスト形式で表した分散データベースシステムであり、インタネット上の情報を統一的に得ることを可能としている。
【００２６】
また、インターネットインフォメーション１５と、シミュレータアプリケーション１６と、データベース１７と、ＴＣＭとシミュレータアプリケーションとに接続されたＨＤＬＣインタフェース１８とを備えている。このＨＤＬＣインタフェース１８は、ハイレベルデータリンク制御手順と呼ばれるもので、情報をフレームと呼ぶ規定の枠に収納し、コードに無関係に連続的に透過伝送を行う。
【００２７】
シュミレータアプリケーション１６は、状変設定模擬機能、計測値設定模擬機能、自動制御応動（機器個別操作、調整制御、一挙動制御、数値制御）、装置故障情報模擬機能、初期情報模擬機能、シリアル状模擬機能（時系列ＳＶ状変データの送信）、計測値パターン送信機能（決められた計測値パターンを繰り返し送信）、試験結果記録機能（印刷機能）、事故解析用情報自動返送機能、データベース設定機能（表計算ソフトワークシートからの変換機能付き）、計測履歴要求機能、制御イレギュラー応動試験機能、試験結果データベース機能、データベース公開機能等からなるソフトである。
【００２８】
インタネットインフォメーション１５は、ＨＴＬＭ形式でコンテンツデータを扱い、ＷＷＷサーバＡＳＰ（アクティブサーバページ）機能にて定期的にデータベース１７のデータをリモートモニタＰＣに送出する。
【００２９】
データベース１７は、操作指示ファイル２０と結果表示ファイル２１等を備えている。
【００３０】
操作指示ファイル２０は、図３の（ａ）に示すように操作設定テーブル２０ａと計測値設定テーブル２０ｂとデータ更新テーブル２０ｃとを備えている。
【００３１】
また、結果表示ファイル２１は、図３の（ｂ）に示すように、表示テーブル２１ａと計測値テーブル２１ｂとデータ更新テーブル２１ｃとを備えている。これらのテーブルの内容を図４を用いて説明する。
【００３２】
図４の（ａ）に示すように、操作設定テーブル２０ａにはリモートモニタＰＣ１１ｂからＩＴＳ１０に送信された操作データ（制御データ）が記憶される。
【００３３】
例えば、電気所側の各機器の番号（ポジション）と操作種別が対抗させられて記憶される。
【００３４】
計測値テーブル２０ｂには、図４の（ｂ）に示すようにリモートモニタに対して送信するための現在のＩＴＳ１０の計測値情報が記憶される。例えば、図４の（ｂ）に示すように、シュミレートを行ったときのポジション毎の計測値が対応させられて記憶される。
【００３５】
データ更新テーブル２０ｃは、リモートモニタＰＣからＩＴＳ１０に対してのデータの設定又はＩＴＳ１０からリモートモニタに対して送るデータの設定が行われる。つまり、条件設定データ等の更新が各種テーブルで終了したことを知らせるために用いられる。
【００３６】
例えば、図４の（ｃ）に示すように、表示テーブル、操作テーブル、計測値テーブル、計測値設定テーブルが更新されたかどうかが「１」、「０」で示される。  表示テーブル２１ａは、リモートモニタＰＣに対して現在のＩＴＳ１０内の機器ポジションがどのようになっているかを知らせるためのデータが記憶される。
【００３７】
例えば、図４の（ｄ）に示すように、各電気所の各機器ポジションの状態が記憶される。
【００３８】
計測値設定テーブル２１ｂは、リモートモニタＰＣから送信されたＩＴＳ１０への計測項目のデータ値（数値）が記憶される。
【００３９】
例えば、図４の（ｅ）に示すように、各電気所の各機器ポジション毎に、その計測値のしきい値等が記憶される。
【００４０】
これらのテーブルは、監視制御用に構築された監視制御用データベースに基づいて人間系が管理および入力しやすい形式（フォーマット；例えばワークシート形式）のファイルとして作成されている。
【００４１】
制御室に設けられたリモートモニタ１１ａは、ＬＡＮインタフェース２０と、ＷＷＷサーバのコンテンツデータを開くためのソフトウエアであるインターネットブラウザ２１とを備え、ＩＴＳ１０に対してアクセスを行って前述のデータベースの各種テーブルの内容をＷｅｂ画面上に表示させる。また、このＷｅｂ画面を用いてＩＴＳ１０に対して模擬のための制御データをデータベース１７の所定のテーブルに設定する。
【００４２】
上記のように構成された電力系統監視制御システムの動作を以下に説明する。
【００４３】
前述のＩＴＳ１０は、可搬型のコンピュータ（例えばノート型等の可搬型のパーソナルコンピュータ）であることが望ましい。
【００４４】
そして、このＩＴＳ１０とＴＣＭとは例えばＲＳ２３２Ｃ規格に準じたシリアルケーブル２３で接続せれている。つまり、ＩＴＳ１０のＨＤＬＣインターフェース１８がＨＤＬＣプロトコルに基づいて相互通信を可能にする。
【００４５】
まず、試験員はＩＴＳ１０を携帯して行って、試験するＴＣＭに接続する。そして、試験員は、電力系統の試験対象電気所を構成する各設備機器に対応する制御ポジション（制御ＰＯＳ）および表示ポジション（表示ＰＯＳ）、状変設定模擬機能、計測値設定模擬機能、自動制御応動（機器個別操作、調整制御、一挙動制御、数値制御）、装置故障情報模擬機能、初期情報模擬機能、シリアル状模擬機能（時系列ＳＶ状変データの送信）、計測値パターン送信機能（決められた計測値パターンを繰り返し送信）、試験結果記録機能（印刷機能）、事故解析用情報自動返送機能、データベース設定機能（表計算ソフトワークシートからの変換機能付き）、計測履歴要求機能、制御イレギュラー応動試験機能等のいずれかを順次選択し、必要の条件設定データを操作部（図示せず）を介して入力する。
【００４６】
一方、リモートモニタＰＣ１１ｂは、インターネットブラウザ２１がインストールされてＩＴＳ１０にＬＡＮによって接続されているので、これらのテーブルの内容をインタネットインフォメーション部１５にアクセスしてＷｅｂ画面でモニタできている。
【００４７】
例えば、図４に示す操作設定テーブル２０ａ、計測値テーブル２０ｂ等を表示させる。
【００４８】
そして、ＩＴＳ１０側の試験員は、ＴＣＭの動作確認試験に必要なデータ（電気所のポジション毎の操作種別、ポジションのしきい値等；ワードＮｏ．、ビットＮｏ．）を入力する。
【００４９】
このとき、ＩＴＳ１０のシュミレーションアプリケーション部１６がイベントロギング（模擬試験）を表示時に、同じ内容をデータベース１７の表示テーブル２１ａに書き込む。
【００５０】
同時にインタネットインフォメーション部１５がｗｗｗサーバＡＳＰ（アクティブ．サーバ．ページ）機能にて定期的にクライアント（リモートモニタ）へ、データベースの内容をリアルタイムで送出している。
【００５１】
そして、試験員はシュミレータアプリケーション部１６を用いて、前記のいずれかの模擬試験を行い、その模擬試験の制御データをＴＣＭに送出し、ＴＣＭがその制御データに基づいて処理した結果（計測値結果データ）を受信する。
【００５２】
そして、この結果をデータベース１７に書き込む。例えば、図４の（ｃ）に示す表示テーブル２１ａが生成される。
【００５３】
また、データ更新テーブルには、これらのテーブルが更新されたかどうかを示す１、０コードが生成される。
【００５４】
例えば、図４を用いて説明すると、ＩＴＳ側で試験員が例えば表示テーブル２１ａを画面に表示させて、あるポジションの状態を変化させる。
【００５５】
具体的には、表示テーブル２１ａをＩＴＳ１０に表示させて、その表示情報ｘｘ（ｗ）ｘｘ（ｂｉｔ）をＯＦＦからＯＮに変化させる。
【００５６】
次に、ＩＴＳ１０のプログラムが表示テーブル２１ａの該当ポジション（ＸＸＸＷＸＸｂｉｔ）の状態をＯＦＦからＯＮに変更した後、データ更新テーブル２０ｃの表示テーブル更新を０から１に書き換える。
【００５７】
次に、ＷＷＷブラウザから外部プログラムを読み出して起動させ、その実行結果をＷＷＷブラウザ上で表示させるＣＧＩプログラム（Ｃｏｍｍｏｎ  Ｇａｔｅｗａｙ  Ｉｎｔｅｒｆａｃｅ）が表示テーブル２１ａの変化を定周期チェックにてデータ更新テーブルより知り、Ｗｅｂ画面の該当ポジションの状態をＯＮに更新する。
【００５８】
そして、データ更新テーブルをクリアーする。次に、ＣＧＩプログラムがプッシュ機能を使いリモートモニタにて最新の表示状態画面を読み込ませる。
【００５９】
すなわち、図５に示すように、ＩＴＳ１０での表示テーブル２１ａがリモートモニタＰＣ１１ｂのＷｅｂ画面に表示される。
【００６０】
つまり、Ｗｅｂ画面を見ているだけで、制御室にいるオペレータは、遠隔地点のＩＴＳ１０の試験の進歩状況等を把握できることになる。
【００６１】
次に、リモートモニタＰＣ１１ｂからあるポジションの状態を変化させた場合について説明する。
【００６２】
リモートモニタ側は、ＩＴＳ１０のインターネットインフォメーション部にアクセスして、Ｗｅｂ画面に操作設定テーブル２０ａ、計測値設定テーブル２１ｂ等のＡＳＰファイルを表示させ、このテーブルに所望のデータを入力する。
【００６３】
つまり、ＡＳＰファイルを表示し、所定の操作データをＷｅｂ画面にて指示し、この画面のデータをインタネットインフォメーション部１５によってデータベースに書き込む。
【００６４】
具体的には、リモートモニタＰＣ１１ｂのＷｅｂ画面より、制御室のオペレータが操作情報ＸＸＸ（Ｗ）ＸＸ（ｂｉｔ）をＯＮからＯＦＦに設定する。
【００６５】
次に、Ｗｅｂ画面より設定を受けたＣＧＩプログラムが操作設定テーブル２０ａのポジションに該当ポジションｘｘｘ（ｗ）ｘｘ（ｂｉｔ）をセットし、操作方向「２（切）」をセットする。
【００６６】
その後、ＣＧＩプログラムによりデータ更新テーブル２０ａの操作テーブル更新を「０」から「１」に書き換える。
【００６７】
そして、ＩＴＳ１０のプログラムが操作設定テーブル２０ａの変化を定周期チェックにてデータ更新テーブルより知る。
【００６８】
このとき、シミュレーションアプリケーション部１６は定期的に操作設定テーブルを監視し、操作の指示があったかどうかを常に監視している。そして、ある操作の操作指示フラグがデータベース１７の操作設定テーブル２０ａに立っていることを検出し、該当の操作を開始する。例えば、状変設定模擬機能、計測値設定模擬機能、自動制御応動（機器個別操作、調整制御、一挙動制御、数値制御）、装置故障情報模擬機能、初期情報模擬機能、シリアル状模擬機能（時系列ＳＶ状変データの送信）、計測値パターン送信機能（決められた計測値パターンを繰り返し送信）、試験結果記録機能（印刷機能）、事故解析用情報自動返送機能、データベース設定機能（表計算ソフトワークシートからの変換機能付き）、計測履歴要求機能、制御イレギュラー応動試験機能等のシュミレートを行う。
【００６９】
また、ＩＴＳ１０のプログラムが操作設定テーブル２０ａの変化を定周期チェックにてデータ更新テーブルより知ると、ＩＴＳ１０内の該当ポジションの状態をＯＦＦに更新する。そして、データ更新テーブルをクリアする。
【００７０】
すなわち、図６に示すように、制御室に設けられたリモートモニタＰＣ１１ａ側からＩＴＳ１０のデータベース１７の操作設定テーブル２０ａの内容を書き換えることが可能となる。
【００７１】
また、計測情報についても、前述のポジションの表示、操作とほぼ同様な処理となる。
【００７２】
従って、リモートモニタ側で各種の模擬試験を行わせる条件設定が可能であるから試験場所に行かなくとも試験の操作及び結果の確認できる。
【００７３】
このため、試験を行わせながら他の作業を行うことができるので、制御室のオペレータの作業効率が上昇する。
【００７４】
さらに、本システムはインタネットのＷＷＷブラウザーを利用しているため、所望の箇所に本リモートモニタをＬＡＮに接続するだけでモニタが可能になるから複数の箇所（機械室、事務所、制御室等）からモニタが同時にできる。
【００７５】
なお、上記実施の形態では、ＨＤＬＣ伝送方式テレコン用として開発したが、伝送インタフェース装置のラインバッファファームウェアーを交換することにより、サイクリック伝送方式にも対応可能である。
【００７６】
【発明の効果】
以上のように本発明の電力系統監視制御システムによれば、電気所毎に設けられた子局側遠方監視制御装置毎の親局側遠方監視制御装置と親局とをネットワークで接続し、かつこの親局側遠方監視制御装置とネットワークとにインテリジェントテレコンシュミレータを接続すると共に、ネットワークのいずれかの地点（遠隔地点）にリモートモニタＰＣを接続する。
【００７７】
そして、インテリジェントテレコンシュミレータは、親局側遠方監視制御装置の動作確認試験のための各種模擬試験処理を有すると共に、この各種模擬試験処理を分散データベースシステムで表す。また、リモートモニタは、Ｗｅｂブラウザを備えている。
このため、リモートモニタ側のオペレータが遠隔地点からインテリジェントテレコンシュミレータの試験員の条件設定、各種模擬試験処理をほぼリアルタイムで確認できる。
【００７８】
従って、インテリジェントテレコンシュミレータ側の試験員は、遠隔地点のオペレータ（制御室、機械室、システムマネージャ）に、条件設定、各種模擬試験の終了を電話で知らせなくとも良いという効果が得られている。
【００７９】
また、遠隔地点にいるオペレータは、試験員からの電話連絡を待たなくとも良いので、他の作業を実施できる。
【００８０】
さらに、本発明のインテリジェントテレコンシュミレータによれば、電気所の各種模擬試験処理を行う模擬試験処理部と、分散データベースシステムと、ネットワークインタフェースとを備えた携帯型のコンピュータとしているので、試験員は、使用変更が発生した電気所の親局側遠方監視制御装置に何時でも容易に運ぶことが可能となり、そのときの模擬試験、条件設定等をリアルタイムで遠隔地点のリモートモニタに送信させることができるという効果が得られている。
【００８１】
さらに、リモートモニタ側での条件設定等を受け付けて、これらの条件設定データに基づく模擬試験処理を実施しながらその結果をリモートモニタ側に転送するので、試験員はこのインテリジェントテレコンシュミレータを親局側遠方監視制御装置（ＴＣＭ）とネットワークに接続するだけでよいという効果が得られている。
【図面の簡単な説明】
【図１】本実施の形態の電力系統監視制御システムの概略構成図である。
【図２】リモートモニタＰＣとＩＴＳの概略構成図である。
【図３】データベースの各ファイルを説明する説明図である。
【図４】データベースの各テーブルを説明する説明図である。
【図５】本発明の実施の形態の作用を説明する説明図である。
【図６】本発明の実施の形態の作用を説明する説明図である。
【図７】従来の電力統制監視システムの概略構成図である。
【符号の説明】
１０  ＩＴＳ
１１ａ  リモートモニタＰＣ
１１ｂ  リモートモニタＰＣ
１３  ＬＡＮインタフェース
１５  インターネットインフォメーション
１６  シミュレータアプリケーション
１７  データベース
【図１】
0004401536.tif 000002
【図２】
0004401536.tif 000003
【図３】
0004401536.tif 000004
【図４】
0004401536.tif 000005
【図５】
0004401536.tif 000006
【図６】
0004401536.tif 000007
【図７】
0004401536.tif 000008